(57)【特許請求の範囲】
【請求項１】
差込み側及び尻側の表面に水返し突条、及び段付き部をそれぞれ備えた平板瓦部と、尻側に突設した段付き玉口部を備えた丸瓦部で構成した擬似本葺き瓦であって、
前記差込み側及び尻側の水返し突条を、平板瓦部の表面より突出させるとともに、この差込み側の水返し突条の尻側に、上方に葺設される瓦の頭側の係合用の段部と、その上方に葺設される瓦の頭側の裏面の載置用の切欠き部を形成し、
また、前記丸瓦部の裏面で、かつその頭側内方に設けた傾斜肉薄箇所の内側に、係止受け突起を設けるとともに、この丸瓦部の裏面の尻側に、前記係止受け突起の受入れ空間に差込まれる差込み係止片を形成し、
さらに、前記平板瓦部の裏面の内方の略中心部位で、かつ差込み側と、前記丸瓦部との連設箇所に薄肉形状を対峙して設けるとともに、この裏面の頭側に設けた膨出片より、頭側内方に亙る頭側内方部位を薄肉形状とし、また、この裏面の頭側になる下段に一方の突起を設けた擬似本葺き瓦において、
前記傾斜肉薄箇所において、前記一方の突起と同じ横断線上で、かつ前記連設箇所の裏面に、他方の突起を設け、
前記係止受け突起の高さは、この擬似本葺き瓦を重畳（結束）した状態で、下方の擬似本葺き瓦の丸瓦部の表面に衝突しない構造としたことを特徴とする構成の擬似本葺き瓦。
【請求項２】
請求項１に記載の擬似本葺き瓦において、
その係止受け突起の受入れ空間を形成するために、この擬似本葺き瓦素地成形時に、略山形状の突起より、この受入れ空間に相当する部位を、冶具を介して千切ることで形成することを特徴とする構成の擬似本葺き瓦。
【請求項３】
請求項１に記載の擬似本葺き瓦において、
その係止受け突起の受入れ空間を形成するために、この擬似本葺き瓦素地成形時に、略膨出突起を、冶具を介して押倒し、この受入れ空間に相当する部位を形成することを特徴とする構成の擬似本葺き瓦。
【請求項４】
請求項１に記載の擬似本葺き瓦において、
その平板瓦部の頭側の垂面を、この頭端の膨出片で形成し、この垂面に高さ寸法を確保することを特徴とする構成の擬似本葺き瓦。
【発明の詳細な説明】
【技術分野】
【０００１】
本発明は、平瓦と、丸瓦の組合せで、その重ね代が大きく、重厚な屋根を構築する本葺き瓦に代替可能な本葺き瓦（擬似本葺き瓦）で、かつ耐震・耐風機能を備えた構造の擬似本葺き瓦に関する。
【背景技術】
【０００２】
従来、擬似本葺き瓦で、かつ耐震・耐風機能を備えた構造は、知る限りでは、市販されていない。しかし、昨今の多発する災害と、更なる大災害の可能性が危惧されることから、近時、このような構造の瓦が市井で要望されつつある。
【０００３】
そこで、先行文献から、この擬似本葺き瓦で、かつ耐震・耐風機能を備えた構造に関して、下記に列挙する。
【０００４】
文献（１）は、特開平７−２３３５９３号の「本葺用瓦」で、この文献（１）の構造は、下向きに凸となるように緩やかな湾曲の平瓦部と、上向きとなるように湾曲した半円筒状の丸瓦部とで構成した本葺用瓦であって、この丸瓦部の後端に段落ちした玉口部を形成し、丸瓦部の尻側の端面に凹部を、またこの丸瓦部の頭側の端面に凸部を形成した構造であり、この凹凸部の嵌合関係を利用し、耐震・耐風機能を発揮することを意図する。そして、その目的は、台風等の強風時にもずれや飛散が少なく、また破損した場合の交換を容易にすることであり、耐震・耐風機能を発揮する有効性を有する。
【０００５】
しかし、この文献（１）には、次の改良点が考えられる。１）  差込み側に突出した水返し突条を採用しないことから、雨仕舞の有効性に改良の余地がある。２）  軽量化と、結束時の容易化に関する配慮に欠ける。３）  凹凸部の嵌合関係を利用する構造は、交換時の有効性は可能であるが、耐震・耐風機能としては、機能的に相反する。所謂、ずれに対しては充分とはいえず、改良の余地がある。４）  頭側の垂面より凸部が突出し、破損の要因となること、自立（立設した設置）が困難であり、成形及び／又は収容時等に問題がある。
【０００６】
また文献（２）は、実開平１−８２２１７号の「耐風用丸瓦」で、この文献（２）の構造は第８図の例において、素丸瓦、冠瓦等の略半円筒状の丸瓦であって、この丸瓦の尻・頭側の端面に設けた係合凸部や、引掛け係止等を介して、上下側の丸瓦を係合する構造であり、この切欠凹部の嵌合関係を利用し、耐震・耐風機能を発揮することを意図する。そして、その効果は、台風等の強風時にもずれや飛散が少なく、耐震・耐風機能を発揮する有効性を有する。
【０００７】
しかし、この文献（２）には、次の改良点が考えられる。１）  本発明の擬似本葺き瓦とは、基本となる瓦の構造が異なる。２）  軽量化と、結束時の容易化に関する配慮に欠ける。３）  係合凸部と切欠凹部の嵌合関係を利用する構造は、交換時の有効性は可能であるが、耐震・耐風機能としては、機能的に相反する。所謂、ずれに対しては充分とはいえず、改良の余地がある。
【０００８】
また文献（３）は、実開平１−８２２１８号の「耐風用屋根瓦」で、この文献（３）の構造は、瓦主体部と略伏半筒状の丸瓦部とでなる屋根瓦であって、この丸瓦部の玉口部と頭側の端面に設けた係合凸部と、尻側の端面に設けた切欠部を介して、上下の屋根瓦を係合する構造であり、この係合凸部と切欠部の嵌合関係を利用し、耐風機能を発揮することを意図する。そして、その効果は、台風等の強風時にもずれや飛散が少なく、耐風機能を発揮する有効性を有する。
【０００９】
しかし、この文献（３）は、前述の文献（１）、（２）と同様な改良点が考えられる。
【００１０】
また文献（４）は、特開２００２−１４６９７１の「耐震、耐風用棟瓦」で、この文献（４）は、瓦本体の一方の突き合せ端面に係止突起と、他方の突き合せ端面に係止受部を設けた棟瓦であって、この係止突起と係止受部を介して、隣接する棟瓦を、係合する構造であり、この係止突起と係止受部の嵌合関係を利用し、耐震・耐風機能を発揮することを意図する。そして、その効果は、台風等の強風時にもずれや飛散が少なく、耐震・耐風機能を発揮する有効性を有する。
【００１１】
しかし、この文献（４）には、次の改良点が考えられる。１）  瓦の構造が異なる。２  軽量化と、結束時の容易化に関する配慮に欠ける。３）  係止突起と係止受部の嵌合関係を利用する構造は、交換時の有効性は可能であるが、この係止突起を、同じ寸法で、かつ曲面となった筒形状に設ける構造であり、結束時の邪魔となり、改良の余地がある。
【００１２】
【特許文献１】特開平７−２３３５９３号
【特許文献２】実開平１−８２２１７号
【特許文献３】実開平１−８２２１８号
【特許文献４】特開２００２−１４６９７１
【発明の開示】
【発明が解決しようとする課題】
【００１３】
この文献（１）〜（４）では、それぞれ前述した、１）〜４）の如く、問題点が、個々にあることから、その改良が要望される。
【００１４】
そこで、本発明は、下記のＡ）〜Ｄ）の目的を達成することを意図する。
【００１５】
Ａ）  差込み側及び尻側の水返し突条を、平板瓦部より突出し、かつ差込み側の水返し突条の尻側に、係合用の段部と、載置用の切欠き部を形成した構造とし、雨仕舞の向上と、雨水のスムーズな流れを確保する。
【００１６】
Ｂ）  丸瓦部の裏面で、かつその頭側内方に設けた傾斜肉薄箇所に、係止受け突起を設けるとともに、この丸瓦部の裏面の尻側の端部を、前記係止受け突起用の差込み係止片にするために、この丸瓦部の裏面の頭側内方を袈裟切り形成とする構造とし、耐震・耐風機能を達成する。また、結束時に、この係止受け突起の高さが、邪魔にならないようにする。
【００１７】
Ｃ）  丸瓦部の裏面の頭側になる下段に一方の突起を設け、また、この傾斜肉薄箇所において、前記一方の突起と同じ横断線上で、かつこの丸瓦部と平板瓦部との連設箇所の裏面に、他方の突起を設ける構造とし、この擬似本葺き瓦をハンガーへの係止を容易にすること、又はこの対の突起が、葺設時に、尻側に設けた水返し突条に衝止することで、耐震・耐風機能を達成できること、葺設の容易化、安定化等に寄与できる。
平板瓦部の裏面で、かつ中心部位と、頭端の膨出片より、頭側内方に亙る頭側内方部位を薄肉形状とするとともに、平板瓦部の裏面で、かつ頭側端より、頭側内方に亙る頭側内方部位を薄肉形状とし、軽量化と、結束の容易化、安定性の向上を図る。
【００１８】
Ｄ）  係止受け突起の受入れ空間を形成するために、略山形状の突起より、この受入れ空間に相当する部位を、冶具を介して千切る、又は略膨出突起を、冶具を介して押倒して形成することで、この係止受け突起の受入れ空間（引掛け部）を確実、かつ容易に形成する。
【課題を解決するための手段】
【００１９】
請求項１の発明は、前述のＡ）〜Ｃ）の特徴を達成することを意図する。
【００２０】
請求項１は、差込み側及び尻側の表面に水返し突条、及び段付き部をそれぞれ備えた平板瓦部と、尻側に突設した段付き玉口部を備えた丸瓦部で構成した擬似本葺き瓦であって、
前記差込み側及び尻側の水返し突条を、平板瓦部の表面より突出させるとともに、この差込み側の水返し突条の尻側に、上方に葺設される瓦の頭側の係合用の段部と、その上方に葺設される瓦の頭側の裏面の載置用の切欠き部を形成し、
また、前記丸瓦部の裏面で、かつその頭側内方に設けた傾斜肉薄箇所の内側に、係止受け突起を設けるとともに、この丸瓦部の裏面の尻側に、前記係止受け突起の受入れ空間に差込まれる差込み係止片を形成し、
さらに、前記平板瓦部の裏面の内方の略中心部位で、かつ差込み側と、前記丸瓦部との連設箇所に薄肉形状を対峙して設けるとともに、この裏面の頭側に設けた膨出片より、頭側内方に亙る頭側内方部位を薄肉形状とし、また、この裏面の頭側になる下段に一方の突起を設けた擬似本葺き瓦において、
前記傾斜肉薄箇所において、前記一方の突起と同じ横断線上で、かつ前記連設箇所の裏面に、他方の突起を設け、
前記係止受け突起の高さは、この擬似本葺き瓦を重畳（結束）した状態で、下方の擬似本葺き瓦の丸瓦部の表面に衝突しない構造としたことを特徴とする構成の擬似本葺き瓦である。
【００２１】
請求項２・３の発明は、請求項１の目的を達成すること、前述のＤ）の特徴を達成することを意図する。
【００２２】
請求項２は、請求項１に記載の擬似本葺き瓦において、
その係止受け突起の受入れ空間を形成するために、この擬似本葺き瓦素地成形時に、略山形状の突起より、この受入れ空間に相当する部位を、冶具を介して千切ることで形成することを特徴とする構成の擬似本葺き瓦である。
【００２３】
請求項３は、請求項１に記載の擬似本葺き瓦において、
その係止受け突起の受入れ空間を形成するために、この擬似本葺き瓦素地成形時に、略膨出突起を、冶具を介して押倒し、この受入れ空間に相当する部位を形成することを特徴とする構成の擬似本葺き瓦である。
【００２４】
請求項４の発明は、請求項１の目的を達成すること、この目的を達成するのに最適な平板瓦部の頭側の垂面の構造を提供することを意図する。
【００２５】
請求項４は、請求項１に記載の擬似本葺き瓦において、
その平板瓦部の頭側の垂面を、この頭端の膨出片で形成し、この垂面に高さ寸法を確保することを特徴とする構成の擬似本葺き瓦である。
【発明の効果】
【００２６】
請求項１の発明は、差込み側及び尻側の表面に水返し突条、及び段付き部をそれぞれ備えた平板瓦部と、尻側に突設した段付き玉口部を備えた丸瓦部で構成した擬似本葺き瓦であって、
差込み側及び尻側の水返し突条を、平板瓦部の表面より突出させるとともに、差込み側の水返し突条の尻側に、上方に葺設される瓦の頭側の係合用の段部と、上方に葺設される瓦の頭側の裏面の載置用の切欠き部を形成し、
また、丸瓦部の裏面で、かつ頭側内方に設けた傾斜肉薄箇所の内側に、係止受け突起を設けるとともに、丸瓦部の裏面の尻側に、係止受け突起の受入れ空間に差込まれる差込み係止片を形成し、
さらに、平板瓦部の裏面の内方の略中心部位で、かつ差込み側と、丸瓦部との連設箇所に薄肉形状を対峙して設けるとともに、裏面の頭側に設けた膨出片より、頭側内方に亙る頭側内方部位を薄肉形状とし、また、裏面の頭側になる下段に一方の突起を設けた擬似本葺き瓦において、
傾斜肉薄箇所において、一方の突起と同じ横断線上で、かつ連設箇所の裏面に、他方の突起を設け、
係止受け突起の高さは、擬似本葺き瓦を重畳（結束）した状態で、下方の擬似本葺き瓦の丸瓦部の表面に衝突しない構造としたことを特徴とする構成の擬似本葺き瓦である。
【００２７】
従って、請求項１は、前述のＡ）〜Ｃ）の特徴を達成できる。
【００２８】
請求項２の発明は、請求項１に記載の擬似本葺き瓦において、
係止受け突起の受入れ空間を形成するために、擬似本葺き瓦素地成形時に、略山形状の突起より、受入れ空間に相当する部位を、冶具を介して千切ることで形成することを特徴とする構成の擬似本葺き瓦である。
【００２９】
請求項３の発明は、請求項１に記載の擬似本葺き瓦において、
係止受け突起の受入れ空間を形成するために、擬似本葺き瓦素地成形時に、略膨出突起を、冶具を介して押倒し、受入れ空間に相当する部位を形成することを特徴とする構成の擬似本葺き瓦である。
【００３０】
従って、請求項２・３は、請求項１の目的を達成できること、前述のＤ）の特徴を達成できること等の特徴を有する。
【００３１】
請求項４の発明は、請求項１に記載の擬似本葺き瓦において、
平板瓦部の頭側の垂面を、頭端の膨出片で形成し、垂面に高さ寸法を確保することを特徴とする構成の擬似本葺き瓦である。
【００３２】
従って、請求項４は、請求項１の目的を達成できること、この目的を達成するのに最適な平板瓦部の頭側の垂面の構造を提供できること等の特徴を有する。
【発明を実施するための最良の形態】
【００３３】
本発明の一例を説明する。
【００３４】
図面の説明をすると、図１は平面図（表面図）、図２は裏面図（背面図）、図３は右側面図、図４は左側面図、図５は裏面側の斜視図、図６は係止受け突起を尻側から裏面視した拡大斜視図、図７は頭側より見た正面図、図８は葺合せ状態を正面視した俯瞰図、図９は葺合せ状態を示した裏面図、図１０は葺合せ状態を側面視した右側面図、図１１は係止受け突起と、差込み係止片との関係を尻側から裏面視した拡大斜視図、図１２は擬似本葺き瓦の葺設状態を縮尺して示した俯瞰図、図１３は擬似本葺き瓦を吊下げるハンガー（吊下げ具）を示した縮尺斜視図、図１４はハンガーと擬似本葺き瓦との関係を示した頭側から裏面視した要部の拡大俯瞰図である。
【００３５】
１は擬似本葺き瓦であり、この擬似本葺き瓦１は、緩やかな湾曲を呈する平板瓦部２と、この平板瓦部２の棧側２ｄに隣設した、略半截筒状で、かつ尻側３ｂから頭側３ｃに向って収れんされた形状を呈する丸瓦部３で構成する。
【００３６】
この擬似本葺き瓦１の全体構造と、表面の形状を説明すると、前記平板瓦部２の差込み側２ａ、及び尻側２ｂで、かつその表面２００に水返し突条４ａ、４ｂ、及び段付き部５をそれぞれ備える。そして、この差込み側２ａの水返し突条４ａは、平板瓦部２の表面２００より突出する構造とするとともに、この差込み側２ａの水返し突条４ａの尻側４ａ−１に、上方に葺設される擬似本葺き瓦１の頭側２ｃの係合用の段部４００と、その上方に葺設される擬似本葺き瓦１の頭側２ｃの裏面の載置用の切欠き部４０１を形成する。そして、この差込み側２ａの水返し突条４ａは、平板瓦部２の表面２００側が肉厚形状で、その裏面２０１側を肉薄形状とし、軽量化（粘土の節約化）と、成形の容易化を図る。尚、差込み側２ａの水返し突条４ａは、平板瓦部２の表面２００より突出する構造として、雨仕舞の向上（差込み側２ａの水返し突条４ａより、雨水が乗り越えることを回避する）と、丸瓦部３との重量バランスを確保すること等を意図する。さらに差込み側２ａの水返し突条４ａと、段付き部５との境目に、下り傾斜面６を形成し、この平板瓦部２の表面２００の上段２００ａを流れる雨水を、その下段２００ｂに流下させる構造とする。また水返し突条４ａの段部４００は、丸瓦部３の尻側３ｂと同じ線上に位置することで、そこに、上方（上段）の平板瓦部２（番号は共通する。以下、同じ）の頭側２ｃの垂面２０２の角部が衝止し、また、丸瓦部３の尻側３ｂには、上方の平板瓦部２の丸瓦部３の頭側３ｃの垂面３０２が衝止する。さらに、この平板瓦部２の表面２００の上段２００ａの上部には、上方の平板瓦部２の頭側２ｃの裏面２０１が重畳され、また後述する玉口部７には、上方の丸瓦部３の頭側３ｃの裏面３０１が重畳される。これにより、雨仕舞の向上と、葺設の容易化、又は正確性を期することを意図する。
【００３７】
前述した平板瓦部２の頭側２ｃに設けた垂面２０２は、その裏面２０１より膨出する構造とし、葺設後に、軒側から見えるこの頭側２ｃの肉厚感覚を確保すること、また、後述するように、擬似本葺き瓦１の軽量化を意図して、裏面２０１の頭側２ｃより内面を、後述するように肉薄形状にすることと、この肉薄に対応した構造である。また、丸瓦部３の裏面３０１の頭側３ｃより内方に向って、所定の範囲で肉薄形状とし、擬似本葺き瓦１の軽量化を意図する。そして、この丸瓦部３の頭側３ｃを肉薄形状としても、葺設時に、この丸瓦部３の頭側３ｃは、人が俯瞰した状態では、下方の擬似本葺き瓦１の丸瓦部３の尻側３ｄで隠蔽され、見えないので、問題はないと考えられる。
【００３８】
前記丸瓦部３の尻側３ｂには、一段低くなった箇所に、玉口部７が突出するようにして設けられており、前述の如く、この玉口部７には、上方の丸瓦部３の頭側３ｃの裏面３０１が重畳される。そして、この玉口部７の尻側７ａ及び／又は棧側７ｂ（この棧側７ｂは、丸瓦部３の棧側３ｄより内側に位置することで、上方の擬似本葺き瓦１の収斂された丸瓦部３の頭側３ｃの端が収まるための、重ね空間Ｓを形成する）には、前述の水返し突条４ｂが延設されている。
【００３９】
図中水返し突条４ａの下端、また水返し突条４ｂの端部には、雨水誘導及び／又は補強用の堰９、１０を設けることで、雨水の下方の平板瓦部２の表面２００への誘導と、又は破損の回避とを図る。
【００４０】
そして、この擬似本葺き瓦１の裏面構造を説明するが、前記平板瓦部２の裏面２０１と、丸瓦３の裏面３０１とを個別に説明する。
【００４１】
先ず、この平板瓦部２の裏面２０１には、表面２００の段付き部５に対応した段部２０を備えており、その上段２０１ａの裏面２０１には、肉薄箇所２１を形成し、この肉薄箇所２１の尻側２ｂの内方に、引掛け２２と、安定駒２３を膨出形成する。そして、この肉薄箇所２１は、擬似本葺き瓦１の軽量化を意図する。また、上段２０１ａの終端（下段２０１ｂに連設する箇所の上方）の両端には、結束時の安定性と、間隔の減少化等を考慮し、略卵形の肉薄形状２４、２４とする（肉を削ぐ）。この肉薄形状２４、２４は、削ぐ面積が少ないが、軽量化に役立つことと、強度面の低下を回避できる特徴がある。また裏面２０１の差込み側２ａには、曲面状の絞り部２５を介して、平板当部２５ａを形成する。そして、この平板当部２５ａは結束時において、水返し突条４ａが衝止される構造であって、前述と同様に、結束時の安定性と、確実性を確保できる特徴がある。尚、裏面２０１の下段２０１ｂには、後述する移動用のハンガー４０に係止される対の一方の突起２６が設けられる。また図中２７は裏面２０１の頭側２ｃに設けた膨出片で、この膨出片２７で、擬似本葺き瓦１の頭側２ｃの垂面２０２の厚みと、重厚感を発揮する。そして、また、この膨出片２７を利用し、この裏面２０１の頭側２ｃより内方２ｅに向った部位（頭側内方部位）に肉薄形状２８を形成し、この肉薄形状２８は、前述の如く、軽量化と、粘土の軽減化等に役立つ構造となっている。
【００４２】
次に、丸瓦部３の裏面３０１には、前記玉口部７に対応した窪みを形成する。そして、この頭側３ｃの内方３ｅには、この頭側３ｃより、その内方３ｅに向って、順次、浅く削った（内方３ｅより頭側３ｃに向って深く削った）傾斜肉薄箇所３１を形成し、この傾斜肉薄箇所３１の内側には、鉤型で、頭側３ｃに向かって受入れ空間３２００を有する係止受け突起３２を設ける。また、この丸瓦部３の裏面３０１の尻側３ｂの端部３ｂ（垂面３０２の内方３ｅ）には、前記係止受け突起３２の受入れ空間３２００に差込み可能な、裏面３０１の裏面側の肉を削り差込み係止片３３を切欠き形成する。この係止受け突起３２を、傾斜肉薄箇所３１の内側に形成し、頭側３ｃより内側にあることから、破損の要因とならず、自立（立設した設置）が可能であり、例えば、成形及び／又は収容時等に有益である。また、この係止受け突起３２の高さは、擬似本葺き瓦１を重畳（結束）した状態で、下方の擬似本葺き瓦１の丸瓦部３の表面３０１に衝突しない構造とする。これにより、係止受け突起３２の破損防止と、重畳（結束）の安定性等に寄与できる。尚、前記傾斜肉薄箇所３１（突起２６）と同じ横断線上で、かつこの丸瓦部３と平板瓦部２との連設箇所３５の裏面３０１、２０１には、他方の突起３６が設けられている。
【００４３】
尚、この係止受け突起３２及び／又は受入れ空間３２００を形成する手段として、例えば、擬似本葺き瓦１素地成形時に、略山形状の突起より、受入れ空間３２００に相当する部位を、冶具を介して千切る方法と、また、擬似本葺き瓦１素地成形時に、略膨出突起を、冶具を介して押倒し、受入れ空間３２００に相当する部位を形成する方法とが望ましい。そして、千切る方法では、形状の確保と、成形の定形性が確保できる有効性があり、また、押倒す方法では、粘度の廃材がなく、取扱いが容易であり、連続成形に有効である。
【００４４】
このように、本発明の擬似本葺き瓦１は、従来より種々存在する擬似本葺き瓦の中でも、元来の本葺き瓦に極めて近似させ、伝統的な構造と葺設・施行方法を集約して完成した、本葺き瓦を髣髴とさせる構造である。
【００４５】
図中４０は、各種の瓦（図示しない）を吊下げるハンガーで、このハンガー４０の二段のＵ形の一方のフック突起４０ａの上面には、頭側２ｃ、３ｃを係止（滑り止めとして）、かつ他方のフック突起４０ｂの上面・自由端面で、前記突起２６、３６の係止と、この平板瓦部２の裏面２０１が載架される（受止められる）とともに、また、そのＶ形の受け片４０ｃの両片に平板瓦部２の裏面２０１が、載架されることで、このハンガー４０には、擬似本葺き瓦１が、傾斜状態で、かつ安定した状態で架承される構造である。尚、このハンガー４０は、チェーン（図示せず）に適宜間隔で複数本取付けられ、かつこのチェーンとともに移動する。尚、この突起２６、３６は、葺設時に、尻側２ｂ、３ｂの水返し突条４ｂに衝止し、耐震・耐風機能を達成できること、葺設の容易化、安定化等に寄与できる。
【００４６】
次に、係止受け突起３２と、差込み係止片３３との嵌合関係（係止関係）を説明すると、図１１と、図９に示した裏面視した拡大斜視図等の如く、葺設した上方の擬似本葺き瓦１（丸瓦部３）の裏面３０１の頭側３ｃ内側の傾斜肉薄箇所３１に設けた係止受け突起３２の受入れ空間３２００に、下方の擬似本葺き瓦１（丸瓦部３）の裏面３０１の頭側３ｃより、その内方３ｅに向って設けた差込み係止片３３を差込むことで、浮き上がりを防止できるこの嵌合関係が成立し、かつ図８、図１０、図１２に示した正面視した俯瞰図等の如く、下方の擬似本葺き瓦１（丸瓦部３）の水返し突条４ａの段部４００には、上方の平板瓦部２の頭側２ｃの垂面２０２の角部が衝止し、かつ丸瓦部３の尻側３ｂの段付き端面には、上方の平板瓦部２の丸瓦部３の頭側３ｃの垂面３０２が衝止する。従って、平板瓦部２の差込み側２ａには、その上方の平板瓦部２と、下方の平板瓦部２との間に、連続した水返し突条４ａが形成されるので、雨仕舞の向上が図れる。そして、この状態では、下方の平板瓦部２の表面２００の重合せ代に、上方の平板瓦部２の裏面２０１が葺設されるとともに、この下方の丸瓦部３の玉口部７の表面に、上方の丸瓦部３の裏面３０１の頭側３ｃ内側が重畳（重ね合せ）される。これにより、耐震、耐風効果と、雨仕舞の向上と、葺設の容易化、又は正確性、美観性、重厚性が確保される。屋根の軽量化と、耐震効果に有効である。また、この葺設状態で、前述の如く、平板瓦部２の頭側２ｃに設けた膨出片
２７が、擬似本葺き瓦１の頭側２ｃの垂面２０２の厚みと、重厚感を発揮する。
【００４７】
また、結束時において、下側の平板瓦部２の表面２００の差込み側２ａと、丸瓦部３の表面２００の連設箇所３５に、上側の平板瓦部２の裏面２０１に設けた対の肉薄形状２４、２４が緩やかに、重ね合わされることから、この下上側の丸瓦部３が、スムーズに嵌合し、この下上側の擬似本葺き瓦１が略水平状態で結束される特徴と、また、この結束の安定性の向上と、並びに嵩張りを少なくできる実益がある。
【図面の簡単な説明】
【００４８】
【図１】図１は平面図（表面図）
【図２】図２は裏面図（背面図）
【図３】図３は右側面図
【図４】図４は左側面図
【図５】図５は裏面側の斜視図
【図６】図６は係止受け突起を尻側から裏面視した拡大斜視図
【図７】図７は頭側より見た正面図
【図８】図８は葺合せ状態を正面視した俯瞰図
【図９】図９は葺合せ状態を示した裏面図
【図１０】図１０は葺合せ状態を側面視した右側面図
【図１１】図１１は係止受け突起と、差込み係止片との関係を尻側から裏面視した拡大斜視図
【図１２】図１２は擬似本葺き瓦の葺設状態を縮尺して示した俯瞰図
【図１３】図１３は擬似本葺き瓦を吊下げるハンガー（吊下げ具）を示した縮尺斜視図
【図１４】図１４はハンガーと擬似本葺き瓦との関係を示した頭側から裏面視した要部の拡大俯瞰図
【符号の説明】
【００４９】
１                擬似本葺き瓦
２                平板瓦部
２００            表面
２００ａ          上段
２００ｂ          下段
２０１ａ          上段
２０１ｂ          下段
２０１            裏面
２０２            垂面
２ａ              差込み側
２ｂ              尻側
２ｃ              頭側
２ｅ              内方
２ｄ              棧側
３                丸瓦部
３００            表面
３０１            裏面
３０２            垂面
３ｂ              尻側
３ｃ              頭側
３ｄ              棧側
３ｅ              内方
４                平板瓦部
４ａ              水返し突条
４ａ−１          尻側
４００            段部
４０１            切欠き部
４ｂ              水返し突条
５                段付き部
６                下り傾斜面
７                玉口部
７ａ              尻側
７ｂ              棧側
９                堰
１０              堰
２０              段部
２１              肉薄箇所
２２              引掛け
２３              安定駒
２４              肉薄形状
２５              絞り部
２５ａ            平板当部
２６              突起
２７              膨出片
２８              肉薄形状
３１              傾斜肉薄箇所
３２              係止受け突起
３２００          受入れ空間
３３              差込み係止片
３５              連設箇所
３６              突起
４０              ハンガー
４０ａ            フック片
４０ｂ            フック片
４０ｃ            受け片
Ｓ                空間
【要約】
【課題】従来、下向きの湾曲の平瓦部と、玉口部を供えた上向きの半円筒状の丸瓦部とで構成した本葺き用瓦で、丸瓦部の尻側の端面に凹部を、またこの丸瓦部の頭側の端面に凸部を形成し、この凹凸部の嵌合関係を利用し、耐震・耐風機能を発揮できる構造は存在した。しかし、差込み側に水返し突条を突出しないことから、雨仕舞の有効性に改良の余地がある。また、軽量化と、結束時の容易化に関する配慮に欠ける。
【構成】本発明は、段部、切欠き部を備えた水返し突条、段付き部を備えた平板瓦部と、玉口部を備えた丸瓦部で構成した擬似本葺き瓦で、差込み側及び尻側の水返し突条を、平板瓦部の表面より突出し、また丸瓦部裏面の頭側内方に設けた傾斜肉薄箇所に係止受け突起を設け、丸瓦部の裏面の尻側に差込み係止片を形成し、平板瓦部の裏面の頭側内方部位と、その上段の下側とに薄肉形状を設ける構成である。
【選択図】図１２【図１】
0004233109.tif 000002
【図２】
0004233109.tif 000003
【図３】
0004233109.tif 000004
【図４】
0004233109.tif 000005
【図５】
0004233109.tif 000006
【図６】
0004233109.tif 000007
【図７】
0004233109.tif 000008
【図８】
0004233109.tif 000009
【図９】
0004233109.tif 000010
【図１０】
0004233109.tif 000011
【図１１】
0004233109.tif 000012
【図１２】
0004233109.tif 000013
【図１３】
0004233109.tif 000014
【図１４】
0004233109.tif 000015